(57)【要約】      （修正有）【課題】ボタン操作を必要としない、より簡単な操作で様々な機能の実行が可能となる。【解決手段】ポータブルメディアプレーヤー１０またはポータブルメディアプレーヤー１０の付属物２１に対する動作を検知するモーションセンサ２３と、前記モーションセンサ２３で所定の動作が検知されると、所定の処理を実行する処理機能部１２と、を備える。【選択図】図１
2014052845.tif 000002
【特許請求の範囲】
【請求項１】
ポータブルメディアプレーヤーまたはポータブルメディアプレーヤーの付属物に対する動作を検知するモーションセンサと、
前記モーションセンサで所定の動作が検知されると、所定の処理を実行する処理機能部と、
を備えることを特徴とするポータブルメディアプレーヤー。
【請求項２】
請求項１に記載のポータブルメディアプレーヤーであって、
前記所定の処理は、デジタルデータの再生、停止、メニュー項目の選択および音量調整の少なくとも一つである
ことを特徴とするポータブルメディアプレーヤー。
【請求項３】
請求項１または２に記載のポータブルメディアプレーヤーであって、
デジタルデータが格納されている記録部を備え、
前記処理機能部は、
所定の動作を検知したことを示す信号を前記モーションセンサから取得すると、
前記デジタルデータを再生する
ことを特徴とするポータブルメディアプレーヤー。
【請求項４】
請求項３に記載のポータブルメディアプレーヤーであって、
前記処理機能部は、
所定の動作を検知したことを示す信号を前記モーションセンサから取得すると、
所定のメニュー項目を選択する
ことを特徴とするポータブルメディアプレーヤー。
【請求項５】
請求項４に記載のポータブルメディアプレーヤーであって、
前記処理機能部は、
所定の動作を検知したことを示す信号を前記モーションセンサから取得すると、
再生中の音楽データのテンポ、キー、音程およびピッチの少なくとも一つを変更する
ことを特徴とするポータブルメディアプレーヤー。
【請求項６】
請求項５に記載のポータブルメディアプレーヤーであって、
前記処理機能部は、
所定の動作を検知したことを示す信号を前記モーションセンサから取得すると、
再生中の音楽データにエコーおよびビブラートの少なくとも一方をかける
ことを特徴とするポータブルメディアプレーヤー。
【請求項７】
請求項６に記載のポータブルメディアプレーヤーであって、
前記処理機能部は、
所定の動作を検知したことを示す信号を前記モーションセンサから取得すると、
音楽データとサンプリングされたフレーズとを同時に再生する
ことを特徴とするポータブルメディアプレーヤー。
【請求項８】
請求項７に記載のポータブルメディアプレーヤーであって、
前記処理機能部は、
所定の動作を検知したことを示す信号を前記モーションセンサから取得すると、
再生中の音楽データにスクラッチの音響効果を与える
ことを特徴とするポータブルメディアプレーヤー。
【請求項９】
使用者の動作を検知して、ポータブルメディアプレーヤーに対して検知した動作を示す信号を出力するモーションセンサを備える
ことを特徴とするイヤホンデバイス。
【発明の詳細な説明】
【技術分野】
【０００１】
本発明は、ポータブルメディアプレーヤーに関する。
【背景技術】
【０００２】
近年、ＭＰ３（ＭＰＥＧ  Ａｕｄｉｏ  Ｌａｙｅｒ３）などの形式で圧縮されたデジタル音楽ファイルを再生可能なポータブルメディアプレーヤーが普及している。ポータブルメディアプレーヤーは、一般的に、動画ファイルの再生、録音、静止画像の表示、ＦＭラジオの受信など、音楽ファイルの再生以外にも様々な機能が備わっているものが多い。
【発明の概要】
【発明が解決しようとする課題】
【０００３】
ポータブルメディアプレーヤーには多くの機能が備わっているため、ボタン操作が複雑化しており、ユーザの使い勝手が悪いという問題がある。また、ボタン操作を行う場合、ユーザは、その都度鞄やポケットなどから本体を取り出さなければならないという面倒がある。
【０００４】
そこで、本発明は、ボタン操作を必要としない、より簡単な操作で様々な機能の実行を可能とするポータブルメディアプレーヤーの提供を目的とする。
【課題を解決するための手段】
【０００５】
上記課題を解決するため、本発明に係るポータブルメディアプレーヤーは、ポータブルメディアプレーヤーまたはポータブルメディアプレーヤーの付属物に対する動作を検知するモーションセンサと、前記モーションセンサで所定の動作が検知されると、所定の処理を実行する処理機能部と、を備える。
【発明の効果】
【０００６】
本発明に係るポータブルメディアプレーヤーによれば、ボタン操作を必要としない、より簡単な操作で様々な機能の実行が可能となる。
【図面の簡単な説明】
【０００７】
【図１】本発明の一実施形態のポータブルメディアプレーヤーを示す図である。
【図２】本発明の一実施形態に係る処理データの一例を示す図である。
【図３】本発明の一実施形態に係る処理マークの一例を示す図である。
【図４】本発明の一実施形態に係るポータブルメディアプレーヤーのモーションセンサが内蔵されたヘッドホンの装着イメージ図である。
【図５】本発明の一実施形態に係るポータブルメディアプレーヤーの図４のイメージ図を３次元的に描画した図である。
【図６】本発明の一実施形態に係るポータブルメディアプレーヤーの機能ブロックを示す図である。
【図７】本発明の一実施形態に係る電源投入処理を示すフロー図である。
【図８】本発明の一実施形態に係る再生処理を示す図である。
【図９】本発明の第二実施形態に係るポータブルメディアプレーヤーの付属具であるリストバンドを示した図である。
【図１０】本発明の第二実施形態に係る再生処理を示した図である。
【図１１】本発明の変形例に係るアレンジ処理データを示す図である。
【図１２】本発明の変形例に係るアレンジ処理を示した図である。
【発明を実施するための形態】
【０００８】
以下、本発明の一実施形態について説明する。
【０００９】
＜第一実施形態＞
図１は、本実施形態に係るポータブルメディアプレーヤー１０を示す図である。ポータブルメディアプレーヤー１０は、本体１１とイヤホン２１とから構成されている。
【００１０】
本体１１は、演算処理装置１２と、記憶装置１３と、ディスプレイ１４と、操作ボタン１５と、を有している。また、イヤホン２１は、スピーカ２２と、モーションセンサ２３と、を内蔵しており、コード３０を介して本体１１の接続端子に接続されている。
【００１１】
演算処理装置１２は、ポータブルメディアプレーヤー１０の様々な処理を行う中心的なユニットである。具体的には、演算処理装置１２は、操作ボタン１５またはモーションセンサ２３を介してユーザからの指示を受け付け、スリープ状態（ディスプレイ１４の表示が停止している状態）から電源をＯＮ状態にする。なお、演算処理装置１２は、ユーザから所定の操作を受け付けずに所定時間経過すると、ディスプレイ１４の表示を停止するなど、スリープ状態に移行する。
【００１２】
また、演算処理装置１２は、操作ボタン１５またはモーションセンサ２３を介してユーザからの指示を受け付け、デジタル音楽ファイルの再生や停止など、所定の処理を実行する。演算処理装置１２が実行する所定の処理は、後述するＲＯＭに格納されている処理データ４０で定義付けられている。かかる処理の詳細については後述する。なお、ディスプレイ１４は、タッチパネルを有したものであっても良く、この場合、演算処理装置１２は、タッチパネルに対するタッチ操作を介してユーザからの指示を受け付けても良い。
【００１３】
また、演算処理装置１２は、処理内容を示す所定の画像情報をディスプレイ１４に表示する。
【００１４】
このような演算処理装置１２は、数値演算などの様々な処理を実行するＣＰＵ（Ｃｅｎｔｒａｌ  Ｐｒｏｃｅｓｓｉｎｇ  Ｕｎｉｔ）と、プログラムやデータ、演算結果などを一時的に格納するＲＡＭ（Ｒａｎｄｏｍ  Ａｃｃｅｓｓ  Ｍｅｍｏｒｙ）と、プログラムやデータなどを格納するＲＯＭ（Ｒｅａｄ  Ｏｎｌｙ  Ｍｅｍｏｒｙ）と、記憶装置１３やモーションセンサ２３など各ハードウェアを演算処理装置１２に接続するためのＩ／Ｆ（インターフェース）と、を有している。また、ＣＰＵ、ＲＡＭ、ＲＯＭは、バスによって相互に接続されている。また、これらは一つのＩＣ（Ｉｎｔｅｇｒａｔｅｄ  Ｃｉｒｃｕｉｔ）チップにまとめられていても良い。
【００１５】
図２は、ＲＯＭに格納されている処理データ４０の一例を示した図である。処理データ４０は、モーションセンサ２３によって検知されたイヤホン２１の動き（例えば、傾き方向および信号取得回数）４１と、演算処理装置１２による処理内容４２と、が対応付けて記録されている。
【００１６】
例えば、図示するように、「スリープ状態で右方向の傾きを示す信号を２回取得」には、電源ＯＮという処理が対応付けられている。また、「電源ＯＮの状態で右方向の傾きを示す信号を２回取得」には、スリープ状態という処理が対応付けられている。また、「左方向の傾きを示す信号を取得」には、項目選択という処理が対応付けられている。また、「右方向の傾きを示す信号を取得」には、デジタルデータ（例えば、音楽ファイルや動画データなど）の再生という処理が対応付けられている。また、「前方向の傾きを示す信号を取得」には、選択項目の決定という処理が対応付けられている。また、「再生中に右方向の傾きを示す信号を取得」には、再生を停止するという処理が対応付けられている。また、「再生中に左方向の傾きを示す信号を取得」には、次の曲にスキップという処理が対応付けられている。また、「再生中に前方向の傾きを示す信号を取得」という処理には、ボリューム（音量）Ｕｐという処理が対応付けられている。演算処理装置１２は、このような処理データ４０の定義に基づき、イヤホン２１の動き（傾き方向や振動）に応じた所定の処理を実行する。
【００１７】
また、ＲＯＭには、処理データ４０で定義される所定の処理を示した画像情報が格納されている。図３は、画像情報である処理マークを示す図である。図示するように、処理マークには、再生中であることを示す再生中マーク５１と、再生を停止したことを示す停止マーク５２と、次の曲にスキップすることを示すスキップマーク５３とが格納されている。演算処理装置１２は、処理データ４０で定義される処理の実行にあたり、処理マークをディスプレイ１４に表示させる。また、図１や図５に示すように、ディスプレイ１４には、音楽の再生中などにモーションセンサ２３が検知した所定方向の傾き状態を示す画像情報が表示されるようにしても良い。
【００１８】
また、ＲＯＭには、デコーダが格納されている。デコーダは、所定の形式で圧縮されたデジタル音楽ファイルを再生するためのソフトウェアである。デコーダは、暗号化および符号化されたデジタルデータを解凍および復号化する。また、デコーダは、復号したデジタル音楽ファイルを再生する。なお、デコーダは、必ずしもソフトウェアである必要はなく、例えば、マイクロチップなどに実装されたハードウェアで構成されても良い。
【００１９】
記憶装置１３は、例えば、不揮発性メモリカードといった少なくとも読み書きが可能な記録媒体で構成されている。記憶装置１３には、音楽ファイル、動画データ、静止画像データなどが格納されている。
【００２０】
ディスプレイ１４は、少なくとも文字情報が表示可能な小型モニタから構成されている。なお、モニタの種類は限定されない。ディスプレイ１４には、前述の処理マークや所定の文字情報、日や時刻を示す日時情報（時計表示）などが表示される。
【００２１】
操作ボタン１５は、ユーザからの指示を演算処理装置１２に伝達するためのハードウェアである。具体的には、操作ボタン１５は、音楽ファイルの再生や停止、動画や静止画像の表示といったポータブルメディアプレーヤー１０が備えている機能を実行するための指示をユーザから受け付ける。
【００２２】
イヤホン２１に内蔵されるスピーカ２２は、デジタルデータとして格納されている音楽ファイルなどの楽曲を物理的な振動に変換することにより、聴覚で認識できる音声やメロディーとして出力する。
【００２３】
モーションセンサ２３は、物体の変位（動き）を計測することにより、動作や傾きの方向およびその大きさなどを検知可能なセンサである。図４は、モーションセンサ２３が内蔵されたヘッドホン６０の装着イメージ図である。また、図５は、図４のイメージ図を３次元的に描画した図である。モーションセンサ２３は、例えば、３軸（Ｘ軸、Ｙ軸、Ｚ軸）の各々の方向に対する加速度が測定可能な３次元加速度センサで構成されている。３次元加速度センサの検知方式は、例えば、静電容量型やピエゾ抵抗型など、どのような方式のものであっても良い。
【００２４】
なお、モーションセンサ２３は、必ずしも３次元加速度センサで構成される必要はなく、物体の動きを検知できれば、ジャイロセンサから構成されても良く、３次元加速度センサおよびジャイロセンサを組み合わせた６軸センサであっても良い。
【００２５】
また、モーションセンサ２３は、振動センサで構成されても良い。振動センサは、搭載された物体の振動を検知すると、所定の信号を出力するセンサである。振動センサは、検知する振動の特性（振動の大きさや、周波数帯など）に応じて適切なものが搭載されれば良い。なお、振動センサは、静電容量型や渦電流型など、検知方式には限定されない。
【００２６】
このようなモーションセンサ２３は、物体の動いた方向と、動きの大きさおよび加速度に比例した出力値と、を示す信号を生成する。
【００２７】
なお、モーションセンサ２３は、近年になって発達したＭＥＭＳ（ｍｉｃｒｏ  ｅｌｅｃｔｒｏ  ｍｅｃｈａｎｉｃａｌ  ｓｙｓｔｅｍｓ）技術、すなわち、半導体製造技術を用いて、一枚のシリコンウェハ上に機械的な機構と集積化した電子回路とを一体化した機能デバイス（加速度センサやジャイロセンサなど）で構成されることにより、ポータブルメディアプレーヤー１０の小型化に有効である。
【００２８】
本実施形態では、このようなモーションセンサ２３がイヤホン２１に内蔵されているため、ポータブルメディアプレーヤー１０のユーザが首を傾けることにより、傾きの方向や、動きの速さおよび大きさに比例した出力値を示す信号が演算処理装置１２に出力される。そのため、演算処理装置１２は、モーションセンサ２３から出力される信号によりユーザの指示を受け取ることができる。なお、モーションセンサ２３は、片方のイヤホン２１のみに搭載されても良く、両方のイヤホン２１に搭載されていても良い。また、ポータブルメディアプレーヤー１０は、ヘッドホン６０との間の情報伝達を無線通信で行うようにしても良い。さらに、ポータブルメディアプレーヤー１０の機能をヘッドホン６０に内蔵させても良い。
【００２９】
次に、ポータブルメディアプレーヤー１０の機能ブロックについて説明する。なお、ポータブルメディアプレーヤー１０の機能ブロックは、演算処理装置１２に実装されるＣＰＵが読み込んだ所定のプログラムを実行することにより構築される。そのため、ＲＯＭには、各機能部の処理を実行するためのプログラムが記憶されている。
【００３０】
また、ポータブルメディアプレーヤー１０の機能ブロックは、本実施形態において実現されるポータブルメディアプレーヤー１０の機能を理解容易にするために、主な処理内容に応じて分類したものである。また、各機能の分類の仕方やその名称によって、本発明が制限されることはない。なお、ポータブルメディアプレーヤー１０の各構成は、処理内容に応じて、さらに多くの構成要素に分類することもできる。また、一つの構成要素がさらに多くの処理を実行するように分類することもできる。
【００３１】
また、ポータブルメディアプレーヤー１０の機能部は、ハードウェアにより構築されてもよい。また、各機能部の処理が一つのハードウェアで実行されてもよいし、複数のハードウェアで実行されてもよい。
【００３２】
図６は、ポータブルメディアプレーヤー１０の機能ブロックを示した図である。ポータブルメディアプレーヤー１０は、制御部７１と、再生部７２と、項目選択部７３と、を有している。
【００３３】
制御部７１は、ポータブルメディアプレーヤー１０の様々な処理を行う中心的な機能部である。具体的には、制御部７１は、操作ボタン１５およびモーションセンサ２３を介したユーザの指示を受け付け、他の機能部や装置に所定の処理を指示する信号を出力する。
【００３４】
また、制御部７１は、取得した信号に応じてポータブルメディアプレーヤー１０の電源をＯＮ状態またはスリープ状態にする。また、制御部７１は、取得した信号に応じてボリューム（音量）をＵｐまたはＤｏｗｎさせる。
【００３５】
また、制御部７１は、取得した信号に応じて、メニュー項目の選択を確定する。
【００３６】
再生部７２は、音楽ファイルや動画データなどを再生する機能部である。具体的には、再生部７２は、対象となる音楽ファイルなどを解凍および復号化し、これらデジタルデータの再生を行う。また、再生部７２は、ユーザの指示に応じて音楽ファイルなどの再生を停止する。
【００３７】
項目選択部７３は、ユーザの指示に応じてメニュー項目を選択する機能部である。メニュー項目は、複数の階層に分けられ、例えば、最上位の第一階層には、「音楽」、「動画」、「静止画」といった大分類のメニュー項目が格納されている。また、第二階層は、第一階層の各項目に対応付けられている中分類のメニュー項目が格納されている。例えば、「音楽」に対応付けられている第二階層には、「アルバム」、「アーティスト」、「ジャンル（例えば、ジャズ、クラシックなど）」、「年代」といったメニュー項目が格納されている。また、「動画」項目や「静止画」項目についても、各々、中分類の項目が対応付けられて格納されている。項目選択部７３は、ユーザからの指示に応じてこれらのメニュー項目のいずれか一つを選択する。なお、このような階層ごとのメニュー項目は、予めＲＯＭに格納されているものとする。
【００３８】
音楽ファイルには、アルバム名やアーティスト名、ジャンル、年代などの所定情報が含まれており、制御部７１は、これらの情報を格納した参照リストを作成することにより、特定の音楽ファイルを識別することができる。すなわち、項目選択部７３により「アルバム」が選択された場合、制御部７１は、記憶装置１３に格納されているアルバムを識別し、収録されている音楽ファイルを特定することができる。また、項目選択部７３により「アーティスト」が選択された場合、制御部７１は、記憶装置１３に格納されている音楽ファイルをアーティストごとに特定することができる。「ジャンル」や「年代」が選択された場合も同様に、これらの情報に基づいて特定の音楽ファイルが特定される。そのため、ユーザがこれらのメニュー項目を選択することにより、制御部７１は、再生する音楽ファイルなどを特定することができる。
【００３９】
以上、本実施形態に係るポータブルメディアプレーヤー１０の機能ブロックについて説明した。
【００４０】
次に、ポータブルメディアプレーヤー１０で実行される処理について説明する。図７は、電源投入処理を示したフロー図である。かかる処理は、ポータブルメディアプレーヤー１０がスリープ状態になると開始される。
【００４１】
制御部７１は、モーションセンサ２３を介して電源ＯＮを指示する信号をユーザから取得したか否かを監視する（ステップＳ００１）。具体的には、制御部７１は、右方向の傾きを示す信号を２回取得したか否かを判定する。なお、信号を２回取得したか否かは、１回目の信号取得から所定時間内（例えば、３秒以内）に２回目の信号を取得したか否かにより判定される。
【００４２】
右方向の傾きを示す信号を２回取得した場合（ステップＳ００１でＹｅｓ）、制御部７１は、ポータブルメディアプレーヤー１０の電源をＯＮにし（ステップＳ００２）、電源投入処理を終了する。一方で、かかる信号を取得しない場合（ステップＳ００１でＮｏ）、制御部７１は、電源ＯＮを指示する信号の取得を監視し続ける。
【００４３】
次に、ポータブルメディアプレーヤー１０の再生処理について説明する。図８は、かかる処理を示したフロー図の一例である。再生処理は、ポータブルメディアプレーヤー１０の電源がＯＮになると開始される。
【００４４】
制御部７１は、モーションセンサ２３から信号を取得したか否かを監視する（ステップＳ０１１）。そして、信号を取得した場合（ステップＳ０１１でＹｅｓ）、制御部７１は、信号の出力値が所定の閾値よりも大きいか否かを判定し（ステップＳ０１２）、閾値よりも大きい場合には（ステップＳ０１２でＹｅｓ）、処理をステップＳ０１３に移行する。一方で、モーションセンサ２３から信号を取得していない場合（ステップＳ０１１でＮｏ）または取得した信号の出力値が閾値よりも小さい場合（ステップＳ０１２でＮｏ）、制御部７１は、処理をステップＳ０１１に戻し、再び信号取得の有無を監視する。
【００４５】
なお、制御部７１は、モーションセンサ２３が所定方向の傾きを検知した際に出力する割り込み要求信号の取得、または、インターバルタイマーにより、所定時間（例えば、０．３秒〜０．５秒）ごとに信号取得の有無を判定することで信号取得の有無を監視する。
【００４６】
ステップＳ０１３では、制御部７１は、信号が示すイヤホン２１の傾き方向に応じて再生処理を実行する。以下、かかる処理の各々の場合について説明する。
【００４７】
（１）モーションセンサ２３から取得した信号が左方向の傾きを示すものである場合、項目選択部７３は、メニュー項目を選択する。具体的には、項目選択部７３は、かかる信号を取得する度に、「音楽」、「動画」、「静止画」といった第一階層のメニュー項目を順にスライドして選択する。また、例えば「音楽」の選択が確定している場合、項目選択部７３は、「音楽」に対応付けられている下位の第二階層のメニュー項目を選択する。この場合、かかる信号を取得する度に、項目選択部７３は、「アルバム」、「アーティスト」、「ジャンル」、「年代」といった第二階層のメニュー項目を順にスライドして選択する。
【００４８】
（２）モーションセンサ２３から取得した信号が前方向の傾きを示すものである場合、制御部７１は、項目選択部７３により選択されたメニュー項目を確定する。例えば、第一階層の「音楽」が選択されている場合、かかる信号を取得すると、制御部７１は、「音楽」を選択されたメニュー項目として確定する。なお、選択されたメニュー項目が確定すると、制御部７１は、選択対象となるメニュー項目が下位の階層に移動したことを項目選択部７３に通知する。
【００４９】
（３）モーションセンサ２３から取得した信号が右方向の傾きを示すものである場合、再生部７２は、項目選択部７３により選択された所定のデジタルデータ（音楽ファイル、動画ファイル、静止画ファイルなど）を再生する。具体的には、再生部７２は、選択された音楽ファイルなどを記憶装置１３から抽出し、これを再生する。
【００５０】
（４）デジタルデータ（音楽ファイルや動画データなど）の再生中に、モーションセンサ２３から取得した信号が右方向の傾きを示すものである場合、再生部７２は、音楽ファイルなどの再生を停止する。
【００５１】
（５）デジタルデータ（音楽ファイルや動画データ）の再生中に、モーションセンサ２３から取得した信号が左方向の傾きを示すものである場合、再生部７２は、再生中の曲をスキップし、次の曲を再生する。例えば、項目選択部７３により選択されたメニュー項目が「アルバム」である場合、再生部７２は、かかるアルバムに収録されている次の曲を再生する。また、項目選択部７３によりジャズという「ジャンル」が選択された場合、再生部７２は、属性がジャズとなっている楽曲のタイトルを昇順（または降順）に並べ替え、順番に再生する。
【００５２】
（６）デジタルデータ（音楽ファイルや動画データなど）の再生中に、モーションセンサ２３から取得した信号が前方向の傾きを示すものである場合、制御部７１は、ボリューム（音量）をＵｐする。具体的には、制御部７１は、かかる信号を取得する度に、一段階ずつボリュームをＵｐする。
【００５３】
なお、オーディオメディアプレーヤー１０は、複数のモードを設定できるようにしても良い。また各モードでは、モードごとに異なるモーションの種類と、再生処理の種類とが設定される。例えば、第１のモードでは、前方向の傾きが検知された場合に音楽ファイルを再生し、右方向の傾きが検知された場合に楽曲をスキップする、という再生処理が実行されるようにモーションおよび再生処理の種類が定め設定されている。一方で、第２のモードでは、例えば、前方向の傾きが検知された場合に楽曲をスキップし、右方向の傾きが検知された場合に音楽ファイルの再生する、という再生処理が実行されるようにモーションおよび再生処理の種類が設定されている。
【００５４】
このようなポータブルメディアプレーヤー１０によれば、ボタン操作を必要としない、より簡単な操作で様々な機能の実行が可能となる。特に、イヤホン２１を装着している頭部（首）を傾けることにより、体感的に再生などの処理を実行することができるため、複雑化したボタン操作よりもユーザの使い勝手が良いポータブルメディアプレーヤー１０を提供することができる。
【００５５】
なお、本実施形態に係るポータブルメディアプレーヤー１０は、モーションセンサ２３で検知された傾き方向、所定方向への動き、振動回数、およびそれらの組み合わせにより、所定の処理を実行するようにしても良い。例えば、右方向への傾きを検知した後で、所定時間内（例えば、３秒以内）に所定回数（例えば、３回）の振動をモーションセンサ２３が検知すると、再生部７２は、音楽ファイルなどを再生するようにしても良い。
【００５６】
また、電源投入処理や再生処理に対応付けられる動作（傾き、振動、動作方向など）は適宜設定されれば良く、例えば、処理データ４０としてＲＯＭなどの記憶媒体に格納されていれば良い。
【００５７】
＜第二実施形態＞
前述の実施形態では、イヤホン２１にモーションセンサ２３を内蔵したが、第二実施形態では、手首に固定する腕時計型のリストバンド１００をポータブルメディアプレーヤー１０の付属具として設ける。そして、該リストバンド１００にモーションセンサ２３を内蔵することにより、腕の動きに応じてポータブルメディアプレーヤー１０に所定の指示を出力できるものである。
【００５８】
図９は、第二実施形態に係るリストバンド１００を示した図である。本実施形態に係るポータブルメディアプレーヤー１０は、本体１１と、イヤホン２１と、リストバンド１００と、を備え、リストバンド１００と本体１１とがセンサケーブル１０２で接続されている構成となっている。なお、第一実施形態と同一の構成は、同一の符号を附して説明を省略する。
【００５９】
リストバンド１００は、バンド本体１０１と、センサーケーブル１０２と、を有している。なお、バンド本体１０１は、モーションセンサ２３と、所定の処理（再生、停止など）の処理マークを表示するディスプレイ１４と、を備えている。センサーケーブル１０２は、モーションセンサ２３が検知した傾き方向や出力値を示す信号を本体１１の演算処理装置１２に出力するための通信ケーブルである。
【００６０】
モーションセンサ２３は、腕に装着されたバンド本体１０１に内蔵され、腕の動きによるリストバンド１００の傾き方向およびその大きさを検知する。また、モーションセンサ２３は、検知したリストバンド１００の傾き方向と、動作の加速度に比例する出力値と、を示す信号を生成し、センサーケーブル１０２を介して本体１１の演算処理装置１２に出力する。
【００６１】
なお、本変形例に係るポータブルメディアプレーヤー１０は、リストバンド１００によるモーションセンサ２３の誤作動を防止するため、処理受け付けモードを設定している。すなわち、制御部７１、再生部７２、項目選択部７３は、処理受け付けモードに移行した後でなければ再生処理など所定の処理を実行しない。
【００６２】
次に、第二実施形態に係るモード移行処理について説明する。図１０は、かかる処理を示したフロー図の一例である。
【００６３】
制御部７１は、処理受け付けモードに移行するための信号をモーションセンサ２３から取得したか否かを監視する（ステップＳ０２１）。具体的には、制御部７１は、モーションセンサ２３がほぼ水平であることを示す信号を取得してから所定時間内（例えば、３秒以内）に、モーションセンサ２３が横方向に複数回（例えば、２回）振られる動きを示す信号を取得したか否かを監視する。
【００６４】
かかる動きを示す信号を取得した場合（ステップＳ０２１でＹｅｓ）、制御部７１は、処理受け付けモードに移行し（ステップＳ０２２）、処理をステップＳ０２３に移行する。なお、ステップＳ０２３以降の処理は、前述の実施形態に係るステップＳ０１１〜ステップＳ０１３と同様であるため、説明を省略する。
【００６５】
このような構成によれば、ユーザの腕の動きに応じて電源投入処理および再生処理などの処理を実行することができる。具体的には、ユーザが、前後方向に水平にした腕を横方向に複数回振ることにより、制御部７１は、処理受け付けモードに移行する。その後で、ユーザが腕を右方向に傾ければ、再生部７２は、音楽ファイルなどのデジタルデータを再生する。また、ユーザが腕を左方向に傾ければ、項目選択部７３は、メニュー項目を選択する。
【００６６】
このような第二実施形態に係るポータブルメディアプレーヤー１０によれば、ボタン操作を必要としないより簡単な操作によって、電源投入処理や再生処理を実行することができる。特に、リストバンド１００に搭載されているモーションセンサ２３の動きに応じて再生などの処理を指示することができるため、ユーザは、より体感的な操作が可能となる。
【００６７】
なお、処理受け付けモードに移行するための傾き方向やその組合せ（前述の例では、水平方向＋横方向に複数回移動）は、特に限定されるものではない。例えば、制御部７１は、モーションセンサ２３がほぼ水平であることを示す信号を取得した後で、所定時間内に、所定方向（例えば、左方向）に所定回数（例えば、３回）傾いたことを示す信号を取得した場合に処理受け付けモードに移行するようにしても良い。また、例えば、モーションセンサ２３が、右方向および左方向への傾きを２回ずつ交互に検知することにより処理受け付けモードに移行するようにしても良い。
【００６８】
また、ユーザが腕を前後方向に水平にすることにより、制御部７１がモーションセンサ２３の水平状態を示す信号を取得した場合、処理受け付けモードに移行するようにしても良い。
【００６９】
＜変形例＞
前述の第二実施形態に係るポータブルメディアプレーヤー１０では、リストバンド１００に内蔵されているモーションセンサ２３により再生処理を行ったが、本発明で実行可能な処理は、前述の再生処理などに限られるものではない。変形例に係るポータブルメディアプレーヤー１０では、リストバンド１００のモーションセンサ２３から取得する信号に応じて、再生する音楽ファイルの楽曲に所定のアレンジ処理を加える。
【００７０】
具体的には、ポータブルメディアプレーヤー１０は、リストバンド１００を介したユーザの指示に応じて、再生する音楽のテンポ、キー、音程、ピッチを変更する。また、ポータブルメディアプレーヤー１０は、リストバンド１００を介したユーザの指示に応じて、再生する音楽にビブラートやエコーをかける。また、ポータブルメディアプレーヤー１０は、リストバンド１００を介したユーザの指示に応じて、サンプリングしたフレーズの使用およびスクラッチを行う。
【００７１】
なお、これらのアレンジは、既存のエフェクター（音響効果を与えるもの）や音声信号の周波数特性を変更可能なイコライザーなどにより実現可能である。また、エフェクターおよびイコライザーは、既存のソフトウェアによって実現することができる。したがって、例えば、ポータブルメディアプレーヤー１０のＲＯＭには、エフェクターおよびイコライザーの機能を実現するためのソフトウェアが格納されていれば良い。
【００７２】
図１１は、アレンジ処理データ１１０を示す図である。アレンジ処理データ１１０は、リストバンド１００の動作（例えば、傾き方向や回転などの動作）１１１とアレンジ処理１１２とが対応付けられて、ＲＯＭなどの記録媒体に格納されている。具体的には、「右方向の回転を示す信号を取得」には、テンポＵｐという処理が対応付けられている。また、「左方向の回転を示す信号の取得」には、テンポＤｏｗｎという処理が対応付けられている。また、「上方向への水平移動を示す信号を取得」には、キーＵｐという処理が対応付けられている。また、「下方向への水平移動を示す信号を取得」には、キーＤｏｗｎという処理が対応付けられている。
【００７３】
また、「左方向への水平移動を示す信号を取得」には、音程Ｕｐという処理が対応付けられている。また、「右方向への水平移動を示す信号を取得」には、音程Ｄｏｗｎという処理が対応付けられている。また、「左上方向への移動を示す信号を取得」には、ピッチＵｐという処理が対応付けられている。また、「右上方向への移動を示す信号を取得」には、ピッチＤｏｗｎという処理が対応付けられている。
【００７４】
また、「水平を示す信号を取得後、垂直上方向への移動を示す信号を取得」には、エコーをかけるという処理が対応付けられている。また、「細かい上下動を示す信号を取得」には、ビブラートをかけるという処理が対応付けられている。
【００７５】
また、「大きな上下動を示す信号を取得」には、サンプリングしたフレーズの再生という処理が対応付けられている。また、「水平方向の移動を示す信号を取得」には、スクラッチという処理が対応付けられている。
【００７６】
なお、細かい上下動か、または、大きな上下動かは、信号の出力値の大きさにより制御部７１が判別する。
【００７７】
次に、変形例に係るポータブルメディアプレーヤー１０のアレンジ処理について説明する。図１２は、かかる処理を示したフロー図である。アレンジ処理は、音楽ファイルの再生に伴い開始される。
【００７８】
制御部７１は、アレンジ処理受け付けモードに移行するための信号をモーションセンサ２３から取得したか否かを監視する（ステップＳ０３１）。具体的には、制御部７１は、モーションセンサ２３がほぼ垂直であることを示す信号を取得してから所定時間内（例えば、３秒以内）に、モーションセンサ２３が上下方向に複数回（例えば、２回）振られる動きを示す信号を取得したか否かを監視する。
【００７９】
かかる動きを示す信号を取得した場合（ステップＳ０３１でＹｅｓ）、制御部７１は、アレンジ処理受け付けモードに移行し（ステップＳ０３２）、処理をステップＳ０３３に移行する。
【００８０】
ステップＳ０３３では、制御部７１は、モーションセンサ２３から信号を取得したか否かを監視する。そして、信号を取得した場合（ステップＳ０３３でＹｅｓ）、制御部７１は、信号の出力値が所定の閾値よりも大きいか否かを判定し（ステップＳ０３４）、閾値よりも大きい場合には（ステップＳ０３４でＹｅｓ）、処理をステップＳ０３５に移行する。一方で、モーションセンサ２３から信号を取得していない場合（ステップＳ０３３でＮｏ）または取得した信号の出力値が閾値よりも小さい場合（ステップＳ０３４でＮｏ）、制御部７１は、処理をステップＳ０３３に戻し、再び信号取得の有無を監視する。
【００８１】
ステップＳ０３５では、制御部７１は、取得した信号の動きに応じてアレンジ処理を実行する。以下、かかる処理の各々の場合について説明する。
【００８２】
（１）モーションセンサ２３から取得した信号が左方向の回転を示すものである場合、制御部７１は、楽曲のテンポをＵｐする指示信号を再生部７２に出力する。また、モーションセンサ２３から取得した信号が右方向の回転を示すものである場合、制御部７１は、テンポをＤｏｗｎする指示信号を再生部７２に出力する。
【００８３】
（２）モーションセンサ２３から取得した信号が上方向への水平移動を示すものである場合、制御部７１は、楽曲のキーをＵｐする指示信号を再生部７２に出力する。また、モーションセンサ２３から取得した信号が下方向への水平移動を示すものである場合、制御部７１は、楽曲のキーをＤｏｗｎする指示信号を再生部７２に出力する。
【００８４】
（３）モーションセンサ２３から取得した信号が左方向への水平移動を示すものである場合、制御部７１は、楽曲の音程をＵｐする指示信号を再生部７２に出力する。また、モーションセンサ２３から取得した信号が右方向への水平移動を示すものである場合、制御部７１は、楽曲の音程をＤｏｗｎする指示信号を再生部７２に出力する。
【００８５】
（４）モーションセンサ２３から取得した信号が左上方向への移動を示すものである場合、制御部７１は、楽曲のピッチをＵｐする指示信号を再生部７２に出力する。また、モーションセンサ２３から取得した信号が左上方向への移動を示すものである場合、制御部７１は、楽曲のピッチをＤｏｗｎする指示信号を再生部７２に出力する。
【００８６】
（５）モーションセンサ２３から取得した信号が、水平を示す信号を取得後、垂直上方向への移動を示すものである場合、制御部７１は、楽曲にエコーをかける指示信号を再生部７２に出力する。モーションセンサ２３から取得した信号が、細かい上下動を示すものである場合、制御部７１は、楽曲にビブラートをかける指示信号を再生部７２に出力する。
【００８７】
（６）モーションセンサ２３から取得した信号が大きな上下動を示すものである場合、制御部７１は、楽曲のサンプリングしたフレーズを使用する。具体的には、制御部７１は、かかる信号を取得する度に、ＲＯＭなどに予めサンプリングしておいた所定フレーズを再生する。すなわち、制御部７１は、かかる信号の取得に応じて、再生部７２が再生している音楽ファイルの上からサンプリングしたフレーズを同時に再生する。
【００８８】
なお、サンプリングしてあるフレーズのサンプリングおよび選択は、所定の動作（例えば、腕を横方向に大きく移動させたり、前後方向に突き出すなど）が割り当てられていれば良い。
【００８９】
（７）モーションセンサ２３から取得した信号が水平方向の移動を示すものである場合、制御部７１は、スクラッチの指示信号を再生部７２に出力する。
【００９０】
このようなポータブルメディアプレーヤー１０によれば、ボタン操作を必要としない、より簡単な操作で様々な機能の実行が可能となる。特に、リストバンド１００に内蔵されたモーションセンサ２３からの信号に応じて楽曲をアレンジすることができるため、ダンスを踊りながら自由に曲調をアレンジして楽しむことができる。
【００９１】
なお、モーションセンサ２３は片手のリストバンド１００のみに搭載されても良く、両手で一組となるリストバンド１００に搭載されても良い。また、両手で一組となるリストバンド１００の場合、右手の動きと左手の動きとで、各々異なるアレンジ処理１１２を対応付けても良い。
【００９２】
また、モーションセンサ２３の構成にジャイロセンサが含まれている場合、ポータブルメディアプレーヤー１０は、軸方向に対する回転（捻れ）方向やその回数に応じて、対応する所定の処理を実行するようにしても良い。例えば、再生部７２は、左方向に１回転したことを示す信号をモーションセンサ２３から取得すると、音楽ファイルを再生する。また、例えば、右方向に１回転したことを示す信号を取得すると、制御部７１は、メニュー項目の選択指示信号を項目選択部７３に出力する。
【００９３】
また、モーションセンサ２３の構成に振動センサが含まれている場合、ポータブルメディアプレーヤー１０の制御部７１、再生部７２、項目選択部７３は、振動の大きさや回数に応じて、対応する再生処理などを実行するようにしても良い。さらに、制御部７１および再生部７２は、リストバンド１００から取得した振動タイミング（リズム）に合わせて音楽ファイルの再生速度を上げ下げさせても良く、リズムに合わせてドラム音やシンバル音など所定の音を挿入するようにしても良い。
【００９４】
なお、電源投入処理、再生処理、アレンジ処理に対応付けられる動作（振動回数や回数の組合せ）は適宜設定されれば良く、それらは処理データ４０としてＲＯＭなどに格納されていれば良い。
【００９５】
また、前述の実施形態および変形例に係るポータブルメディアプレーヤー１０において、制御部７１は、電源投入処理、再生処理、アレンジ処理の内容を示す音声ガイダンスをスピーカ２２に出力するようにしても良い。具体的には、音楽ファイルを再生する際に、制御部７１は、「再生します」といった処理内容を示す音声ガイダンスをスピーカ２２に出力する。なお、音声ガイダンスのフレーズは、予め記憶装置１３などの記録媒体に格納されていれば良い。
【００９６】
このようにすれば、ユーザは、意図した指示が実行されたか否かを直ちに判断することができる。
【００９７】
また、前述の実施形態および変形例に係るポータブルメディアプレーヤー１０にマイクロフォンを搭載し、外部音声などを録音できるようにしても良い。具体的には、モーションセンサ２３を介してユーザから録音指示を受け付けた場合（例えば、左右に複数回移動したことを示す信号の取得により）、制御部７１は、外部音声を記憶装置１３など所定の記録媒体に格納する。
【００９８】
また、前述の実施形態および変形例に係るポータブルメディアプレーヤー１０にＣＣＤ（Ｃｈａｒｇｅ  Ｃｏｕｐｌｅｄ  Ｄｅｖｉｃｅ）カメラなどの小型カメラを搭載し、写真撮影ができるようにしても良い。具体的には、制御部７１は、モーションセンサ２３を介してユーザから撮影指示を受け付けた場合（例えば、上下に複数回移動したことを示す信号の取得により）、内蔵するＣＣＤカメラにより画像撮影を行い、かかる画像データを記憶装置１３などの記録媒体に格納する。
【００９９】
このようなポータブルメディアプレーヤー１０によっても、操作ボタン１５の操作を必要とせず、様々な処理を体感的に実行することができる。
【０１００】
また、楽曲のテンポ変更やビブラートをかけるなどのアレンジ処理は、前述の変形例に係るリストバンド１００の動きに応じて実行されたが、本発明はこれに限られるものではない。具体的には、アレンジ処理は、前述の第一実施形態に係るイヤホン２１に搭載されているモーションセンサ２３がイヤホン２１の動作を検知した場合に実行されるようにしても良い。
【０１０１】
なお、上記のポータブルメディアプレーヤー１０とは、携帯電話、スマートフォン、タブレット端末なども対象機器として含むものである。
【符号の説明】
【０１０２】
１０・・・ポータブルメディアプレーヤー１０、１１・・・本体１１、
１２・・・演算処理装置、１３・・・記憶装置、１４・・・ディスプレイ、
１５・・・操作ボタン、２１・・・イヤホン、２２・・・スピーカ、
２３・・・モーションセンサ、３０・・・コード
【図１】
2014052845.tif 000003
【図２】
2014052845.tif 000004
【図３】
2014052845.tif 000005
【図４】
2014052845.tif 000006
【図５】
2014052845.tif 000007
【図６】
2014052845.tif 000008
【図７】
2014052845.tif 000009
【図８】
2014052845.tif 000010
【図９】
2014052845.tif 000011
【図１０】
2014052845.tif 000012
【図１１】
2014052845.tif 000013
【図１２】
2014052845.tif 000014